(57)【要約】【課題】  平板からなる多孔性硬質基板と、活性炭等のパッド充填材を通気性袋に充填して扁平筒状に形成してなる複数のパッドとを組み合わせることにより、通気性が良好にして、悪臭や湿気を除去し、睡眠時の呼吸気障害や鼾の発生を予防することができ、さらに頭部に対する血行や毛髪の成長を促進して、安眠効果を高めることができると共に、健康増進に寄与することができ、取扱いが簡便にして前記複数のパッドの出し入れとその交換を容易化し、しかも携帯に便利な構成からなる多機能携帯枕を提供する。【解決手段】  平板からなる多孔性硬質基板２３を出し入れ可能に収納すると共に、前記多孔性硬質基板２３の側面に沿って、活性炭等のパッド充填材を通気性袋に充填して扁平筒状に形成してなる複数のパッド２６を収納配置したパッド・基板収納体２０を設け、前記パッド・基板収納体２０を通気性を有する枕カバー１２に出し入れ自在に収納した構成からなる。【選択図】  図３
2005046608.tif 000002
【特許請求の範囲】
【請求項１】
平板からなる多孔性硬質基板を出し入れ可能に収納すると共に、
前記多孔性硬質基板の側面に沿って、活性炭等のパッド充填材を通気性袋に充填して扁平筒状に形成してなる複数のパッドを収納配置したパッド・基板収納体を設け、
前記パッド・基板収納体を通気性を有する枕カバーに出し入れ自在に収納した構成からなることを特徴とする多機能携帯枕。
【請求項２】
前記パッド・基板収納体は、通気性を有する布地等で構成した矩形状の袋体からなり、この袋体の少なくとも一側縁部に多孔性硬質基板を挿入するための開口部を設けた基板収納部と、前記袋体の外側の一側面または両側面に複数のパッドをそれぞれ収納するための複数のポケットを形成したパッド収納部とを備えることを特徴とする請求項１記載の多機能携帯枕。
【請求項３】
前記パッド・基板収納体は、通気性を有する布地等で構成した矩形状の袋体からなり、この袋体の少なくとも一側縁部に多孔性硬質基板を挿入するための開口部を設けた基板収納部と、前記袋体の内側の一側面または両側面に複数のパッドをそれぞれ収納するための複数のポケットを形成したパッド収納部とを備えることを特徴とする請求項１記載の多機能携帯枕。
【請求項４】
前記パッド・基板収納体において、多孔性硬質基板を挿入するための開口部には、折り返し片を形成し、その内面側に面ファスナを取り付けることにより、前記開口部を開閉自在に構成したことを特徴とする請求項２または３記載の多機能携帯枕。
【請求項５】
前記パッド・基板収納体において、多孔性硬質基板を挿入するための開口部には、開閉ファスナを設けることにより、前記開口部を開閉自在に構成したことを特徴とする請求項２または３記載の多機能携帯枕。
【請求項６】
前記パッド・基板収納体において、通気性を有する布地等で構成した矩形状の袋体の外側の一側面に設ける複数のポケットは、袋体の長手方向と平行にそれぞれ形成してなることを特徴とする請求項２または３記載の多機能携帯枕。
【請求項７】
前記パッド・基板収納体において、袋体の長手方向と平行に形成した複数のポケットに対し、いずれか１つのポケットにパッドを収納して使用することを特徴とする請求項６記載の多機能携帯枕。
【請求項８】
前記パッド・基板収納体において、通気性を有する布地等で構成した矩形状の袋体の外側の一側面に設ける複数のポケットは、袋体の短手方向と平行にそれぞれ形成してなることを特徴とする請求項２または３記載の多機能携帯枕。
【請求項９】
前記パッド・基板収納体において、袋体の短手方向と平行に形成する複数のポケットは、中央部に所定幅の間隔を設けて左右対称的に設けることを特徴とする請求項８記載の多機能携帯枕。
【請求項１０】
前記パッド・基板収納体は、袋体の外側の一側面にその長手方向と平行に複数のパッドをそれぞれ収納するための複数のポケットを形成した第１のパッド収納部を備えると共に、袋体の外側の他側面にその短手方向と平行に複数のパッドをそれぞれ収納するための複数のポケットを形成した第２のパッド収納部を備えることを特徴とする請求項２ないし９のいずれかに記載の多機能携帯枕。
【請求項１１】
前記パッド・基板収納体において、通気性を有する布地で構成した矩形状の袋体に出し入れ自在に収納する多孔性硬質基板は、複数に分割した基板をヒンジ結合して、折曲げ自在に構成したものからなることを特徴とする請求項２または３記載の多機能携帯枕。
【請求項１２】
前記パッド・基板収納体は、通気性を有する布地等で構成した矩形状のパッド・基板収納袋体と、パッド・基板組合せ体とからなり、前記パッド・基板収納袋体の少なくとも一側縁部にパッド・基板組合せ体を挿入するための開口部を設けると共に、前記パッド・基板組合せ体は、多孔性硬質基板を囲繞する通気性を有する基板被覆部と、その外側の一側面または両側面に複数のパッドをそれぞれ収納するための複数のポケットを形成したパッド収納部とを、備えることを特徴とする請求項１記載の多機能携帯枕。
【請求項１３】
前記パッド・基板収納体において、通気性を有する布地等で構成したパッド・基板収納袋体のパッド・基板組合せ体を挿入するための開口部には、折り返し片を形成し、その内面側に面ファスナを取り付けることにより、前記開口部を開閉自在に構成したことを特徴とする請求項１２記載の多機能携帯枕。
【請求項１４】
前記パッド・基板収納体において、通気性を有する布地等で構成したパッド・基板収納袋体のパッド・基板組合せ体を挿入するための開口部には、開閉ファスナを設けることにより、前記開口部を開閉自在に構成したことを特徴とする請求項１２記載の多機能携帯枕。
【請求項１５】
前記パッド・基板収納体において、パッド・基板組合せ体の多孔性硬質基板を囲繞する基板被覆部の外側の一側面に設ける複数のポケットは、基板の長手方向と平行にそれぞれ形成してなることを特徴とする請求項１２記載の多機能携帯枕。
【請求項１６】
前記パッド・基板収納体において、パッド・基板組合せ体の多孔性硬質基板を囲繞する基板被覆部の外側の一側面に設ける複数のポケットは、基板の短手方向と平行にそれぞれ形成してなることを特徴とする請求項１２記載の多機能携帯枕。
【請求項１７】
前記パッド・基板収納体は、基板被覆部の外側の一側面にその長手方向と平行に複数のパッドをそれぞれ収納するための複数のポケットを形成した第１のパッド収納部を備えると共に、基板被覆部の外側の他側面にその短手方向と平行に複数のパッドをそれぞれ収納するための複数のポケットを形成した第２のパッド収納部を備えることを特徴とする請求項１２ないし１６のいずれかに記載の多機能携帯枕。
【請求項１８】
前記パッド・基板収納体において、扁平筒状に形成してなる複数のパッドにそれぞれ充填されるパッド充填材は、活性炭を１／３〜１／２の容量とし、蕎麦殻、籾殻、桧や檜葉等の木材チップ、小豆、プラスチックの小粒体、乾燥したハーブ類等を適宜選択して２／３〜１／２の容量で混合してなることを特徴とする請求項１ないし１６のいずれかに記載の多機能携帯枕。
【発明の詳細な説明】
【技術分野】
【０００１】
本発明は、硬質基板と所要の内包材を充填したパッドとを組み合わせて、通気性が良好にして、悪臭や湿気を除去し、睡眠時の呼吸気障害や鼾の発生を予防することができ、さらに頭部に対する血行や毛髪の成長を促進して、安眠効果を高めることができると共に、健康増進に寄与することができ、しかも携帯に便利な構成からなる多機能携帯枕に関するものである。
【背景技術】
【０００２】
従来において、例えば、ヤシ殻活性炭を枕に用いることにより、その多孔質による吸着効果によって、臭いや湿気を除去し、マイナスイオン効果や、遠赤外線効果により血行の促進を図り、頭痛、肩凝り等を解消することができる枕として、枕の上面に活性炭を配するものであって、ヤシ殻活性炭を袋の幾つかの室に分けられたものに入れ、使用中１個所に片寄らず、万遍なく活性炭があるようにして、その袋の両端に布カバーを付けたものからなり、この袋を枕の上に載せて布カバーを枕に巻き付けて、活性炭がずれないように構成配置したものである（特許文献１参照）。
【０００３】
また、汗等を吸収でき、使い心地が良く、衛生的で、所定の温度範囲を維持できる枕として、(1) 列状に形成された開口を持つ袋状部を有する通気性及び通水性を備える被覆体と、(2) 前記被覆体の袋状部の開口から挿脱自在に収容され、吸水性質及び断熱性及び脱臭性を有する内容物を封止材料内に封入してなる保温脱臭体と、(3) 前記被覆体の袋状部に前記保温脱臭体を収容した状態で、保冷材または温熱材を収容する空間を形成自在な前記被覆体を覆うカバー体とを、具備した枕構成体が提案されている（特許文献２参照）。
【０００４】
さらに、睡眠時の頭や体の向きを横向きに誘導して鼾の発生を抑止すると共に、旅行時の携帯性に優れ、また不使用時の片付け保管においても省スペースで保管できる枕として、(1) 合成樹脂板を上方へ山形となる蒲鉾状に湾曲形成した主基体の上面をクッション材で覆ってこれを袋状のカバーに出し入れ自在に収めた主部材と、(2) 平板状の基板の上面をクッション材で覆ってこれを袋状のカバーに出し入れ自在に収めた２個の翼部材を備え、(3) 前記２個の翼部材は共に蒲鉾状に湾曲した前記主部材の凹所に収容し得る大きさとし、前記各翼部材が前記主部材の両下縁のそれぞれに沿う状態で、前記各翼部材が前記主部材に対し回動自在なるよう、且つまた前記各翼部材が前記主部材から分離可能なるように、平面ファスナーを介して前記各翼部材を前記主部材に着脱自在に連結した構成からなる枕が提案されている（特許文献３参照）。
【０００５】
【特許文献１】実用新案登録第３０９２０４１号公報
【特許文献２】特開平９−１２１９９８号公報
【特許文献３】特開２００１−１６１５３２号公報
【発明の開示】
【発明が解決しようとする課題】
【０００６】
しかしながら、前記の提案に係るそれぞれの枕において、前記特許文献１に記載の枕においては、活性炭を封入した袋を枕の上に載せるように構成したものであり、この場合に袋を幾つかの室に分けて、それぞれ活性炭を充填したものであって、使用中に活性炭がずれないように工夫したものであって、単に活性炭を使用したことによる効果を得るものであり、頭部に対する健康を目的とした多機能性を発揮するものではない。
【０００７】
また、前記特許文献２に記載の枕構成体においては、通気性及び通水性の良い材質からなる被覆体に形成した複数列の袋状部の開口から、保温脱臭体を挿入するように構成したものであり、保温脱臭体には活性炭が８０〜９０％収容されており、挿入に道具を必要とすることなく、保温脱臭体を被覆体に形成した複数列の袋状部に挿入できるようにしたものである。そして、この被覆体を保温脱臭体の長さ方向に２つ折りして、その間に保冷材または温熱材を挟んで、身体の所要部位に対する冷却用または温熱用として使用するものである。従って、枕本来の機能よりも、冷却用または温熱用としての多用途を意図したものであって、頭部に対する健康を目的とした多機能性を発揮するものではない。
【０００８】
さらに、特許文献２に記載の枕においては、合成樹脂板とクッション材とを組み合わせて携帯可能な健康枕を提案するものであるが、合成樹脂板からなる主基体の上面にクッション材を貼着して主基体の上面をクッション材で覆い、帯状ばね板の両端を主基体の両下縁にねじ止めで固定すると共に、帯状ばね板のく字状折曲部を高さ調整用の調整ねじを介して主基体の裏面に当接させ、これらの一体物を袋状のカバーに出し入れ自在に収めて主部材として構成している。また、前記と同様に、合成樹脂板からなる基板にクッション材を貼着して２個の翼部材を構成し、これらの翼部材を前記主部材の両下縁に沿うようにして、平面ファスナーを介して着脱自在に連結して枕を構成したものである。しかしながら、このような構成からなる枕は、構成が複雑であり、製造コストが増大するばかりでなく、頭部に対する健康を目的とした多機能性を十分に発揮するものではない。
【０００９】
そこで、本発明者は、種々検討並びに試作を重ねた結果、矩形状の平板からなる多孔性硬質基板と、活性炭等のパッド充填材を通気性袋に充填して扁平筒状に形成してなる複数のパッドとを設け、前記多孔性硬質基板と複数のパッドとを、前記多孔性硬質基板の一側面に沿って前記複数のパッドがそれぞれ平行に配置されるように、通気性を有する布地等で構成した矩形状の袋体に、それぞれ出し入れ可能に収納してパッド・基板収納体を構成し、このパッド・基板収納体を通気性を有する枕カバーに出し入れ自在に収納することにより、前記多孔性硬質基板と複数のパッドとの作用によって、通気性が良好にして、悪臭や湿気を除去し、睡眠時の呼吸気障害や鼾の発生を予防することができ、さらに頭部に対する血行や毛髪の成長を促進して、安眠効果を高めることができると共に、健康増進に寄与することができ、しかも携帯に便利な構成からなる多機能携帯枕を得ることができることを突き止めた。
【００１０】
この場合、前記パッド・基板収納体は、通気性を有する布地等で構成した矩形状の袋体の外側の一側面あるいは両側面、または内側の一側面あるいは両側面において、複数のパッドを収納するためのポケットを、袋体の長手方向に、あるいは短手方向に、それぞれ平行となるように構成配置し、前記各ポケットの全部もしくはいずれか一部を除いてパッドを収納配置することにより、前述した多機能携帯枕としての各種機能を有効に発揮させることができることを突き止めた。
【００１１】
また、本発明の多機能携帯枕は、前記パッド・基板収納体として、通気性を有する布地等で構成した矩形状の袋体からなり、この袋体の少なくとも一側縁部に多孔性硬質基板を挿入するための開口部を設けると共に、前記袋体の外側の一側面あるいは両側面、または内側の一側面あるいは両側面に複数のパッドをそれぞれ収納するための複数のポケットを形成した構成としたり、あるいは通気性を有する布地等で構成した矩形状の袋体と、パッド・基板組合せ体とからなり、前記袋体の少なくとも一側縁部にパッド・基板組合せ体を挿入するための開口部を設けると共に、前記パッド・基板組合せ体は多孔性硬質基板を通気性を有する被覆部材で囲繞すると共にその外側の一側面または両側面に複数のパッドをそれぞれ収納するための複数のポケットを形成した構成とすることにより、多孔性硬質基板の出し入れとその交換および複数のパッドの出し入れとその交換を、それぞれ容易化すると共に、携帯枕としての機能をより有効に発揮させることができることを突き止めた。
【００１２】
さらに、本発明の多機能携帯枕は、前記パッド・基板収納体において、扁平筒状に形成してなる複数のパッドにそれぞれ充填されるパッド充填材として、活性炭を１／３〜１／２の容量とし、蕎麦殻、籾殻、桧や檜葉等の木材チップ、小豆、プラスチックの小粒体、乾燥したハーブ類等を適宜選択して２／３〜１／２の容量で混合したものとすることにより、前述した多機能携帯枕としての各種機能を有効に発揮させることができることを突き止めた。
【００１３】
従って、本発明の目的は、平板からなる多孔性硬質基板と、活性炭等のパッド充填材を通気性袋に充填して扁平筒状に形成してなる複数のパッドとを組み合わせることにより、通気性が良好にして、悪臭や湿気を除去し、睡眠時の呼吸気障害や鼾の発生を予防することができ、さらに頭部に対する血行や毛髪の成長を促進して、安眠効果を高めることができると共に、健康増進に寄与することができ、取扱いが簡便にして前記複数のパッドの出し入れとその交換を容易化し、しかも携帯に便利な構成からなる多機能携帯枕を提供することにある。
【課題を解決するための手段】
【００１４】
前記目的を達成するため、本発明の請求項１に記載の多機能携帯枕は、平板からなる多孔性硬質基板を出し入れ可能に収納すると共に、
前記多孔性硬質基板の側面に沿って、活性炭等のパッド充填材を通気性袋に充填して扁平筒状に形成してなる複数のパッドを収納配置したパッド・基板収納体を設け、
前記パッド・基板収納体を通気性を有する枕カバーに出し入れ自在に収納した構成とすることを特徴とする。
【００１５】
本発明の請求項２に記載の多機能携帯枕は、前記パッド・基板収納体が、通気性を有する布地等で構成した矩形状の袋体からなり、この袋体の少なくとも一側縁部に多孔性硬質基板を挿入するための開口部を設けた基板収納部と、前記袋体の外側の一側面のたは両側面に複数のパッドをそれぞれ収納するための複数のポケットを形成したパッド収納部とを備えることを特徴とする。
【００１６】
本発明の請求項３に記載の多機能携帯枕は、前記パッド・基板収納体が、通気性を有する布地等で構成した矩形状の袋体からなり、この袋体の少なくとも一側縁部に多孔性硬質基板を挿入するための開口部を設けた基板収納部と、前記袋体の内側の一側面または両側面に複数のパッドをそれぞれ収納するための複数のポケットを形成したパッド収納部とを備えることを特徴とする。
【００１７】
本発明の請求項４に記載の多機能携帯枕は、前記パッド・基板収納体において、多孔性硬質基板を挿入するための開口部には、折り返し片を形成し、その内面側に面ファスナを取り付けることにより、前記開口部を開閉自在に構成したことを特徴とする。
【００１８】
本発明の請求項５に記載の多機能携帯枕は、前記パッド・基板収納体において、多孔性硬質基板を挿入するための開口部には、開閉ファスナを設けることにより、前記開口部を開閉自在に構成したことを特徴とする。
【００１９】
本発明の請求項６に記載の多機能携帯枕は、前記パッド・基板収納体において、通気性を有する布地等で構成した矩形状の袋体の外側の一側面に設ける複数のポケットは、袋体の長手方向と平行にそれぞれ形成してなることを特徴とする。
【００２０】
本発明の請求項７に記載の多機能携帯枕は、前記パッド・基板収納体において、袋体の長手方向と平行に形成した複数のポケットに対し、いずれか１つのポケットにパッドを収納して使用することを特徴とする。
【００２１】
本発明の請求項８に記載の多機能携帯枕は、前記パッド・基板収納体において、通気性を有する布地等で構成した矩形状の袋体の外側の一側面に設ける複数のポケットは、袋体の短手方向と平行にそれぞれ形成してなることを特徴とする。
【００２２】
本発明の請求項９に記載の多機能携帯枕は、前記パッド・基板収納体において、袋体の短手方向と平行に形成する複数のポケットは、中央部に所定幅の間隔を設けて左右対称的に設けることを特徴とする。
【００２３】
本発明の請求項１０に記載の多機能携帯枕は、前記パッド・基板収納体が、袋体の外側の一側面にその長手方向と平行に複数のパッドをそれぞれ収納するための複数のポケットを形成した第１のパッド収納部を備えると共に、袋体の外側の他側面にその短手方向と平行に複数のパッドをそれぞれ収納するための複数のポケットを形成した第２のパッド収納部を備えることを特徴とする。
【００２４】
本発明の請求項１１に記載の多機能携帯枕は、前記パッド・基板収納体において、通気性を有する布地で構成した矩形状の袋体に出し入れ自在に収納する多孔性硬質基板は、複数に分割した基板をヒンジ結合して、折曲げ自在に構成したものからなることを特徴とする。
【００２５】
本発明の請求項１２に記載の多機能携帯枕は、前記パッド・基板収納体が、通気性を有する布地等で構成した矩形状のパッド・基板収納袋体と、パッド・基板組合せ体とからなり、前記パット・基板収納袋体の少なくとも一側縁部にパッド・基板組合せ体を挿入するための開口部を設けると共に、前記パッド・基板組合せ体は、多孔性硬質基板を囲繞する通気性を有する基板被覆部と、その外側の一側面または両側面に複数のパッドをそれぞれ収納するための複数のポケットを形成したパッド収納部とを、備えることを特徴とする。
【００２６】
本発明の請求項１３に記載の多機能携帯枕は、前記パッド・基板収納体において、通気性を有する布地等で構成したパッド・基板収納袋体のパッド・基板組合せ体を挿入するための開口部には、折り返し片を形成し、その内面側に面ファスナを取り付けることにより、前記開口部を開閉自在に構成したことを特徴とする。
【００２７】
本発明の請求項１４に記載の多機能携帯枕は、前記パッド・基板収納体において、通気性を有する布地等で構成したパッド・基板収納袋体のパッド・基板組合せ体を挿入するための開口部には、開閉ファスナを設けることにより、前記開口部を開閉自在に構成したことを特徴とする。
【００２８】
本発明の請求項１５に記載の多機能携帯枕は、前記パッド・基板収納体において、パッド・基板組合せ体の多孔性硬質基板を囲繞する基板被覆部の外側の一側面または両側面に設ける複数のポケットは、基板の長手方向と平行にそれぞれ形成してなることを特徴とする。
【００２９】
本発明の請求項１６に記載の多機能携帯枕は、前記パッド・基板収納体において、パッド・基板組合せ体の多孔性硬質基板を囲繞する基板被覆部の外側の一側面または両側面に設ける複数のポケットは、基板の短手方向と平行にそれぞれ形成してなることを特徴とする。
【００３０】
本発明の請求項１７に記載の多機能携帯枕は、前記パッド・基板収納体が、基板被覆部の外側の一側面にその長手方向と平行に複数のパッドをそれぞれ収納するための複数のポケットを形成した第１のパッド収納部を備えると共に、基板被覆部の外側の他側面にその短手方向と平行に複数のパッドをそれぞれ収納するための複数のポケットを形成した第２のパッド収納部を備えることを特徴とする。
【００３１】
本発明の請求項１８に記載の多機能携帯枕は、前記パッド・基板収納体において、扁平筒状に形成してなる複数のパッドにそれぞれ充填されるパッド充填材は、活性炭を１／３〜１／２の容量とし、蕎麦殻、籾殻、桧や檜葉等の木材チップ、小豆、プラスチックの小粒体、乾燥したハーブ類等を適宜選択して２／３〜１／２の容量で混合してなることを特徴とする。
【発明の効果】
【００３２】
本発明の請求項１に記載の多機能携帯枕によれば、通気性が良好にして、悪臭や湿気を除去し、睡眠時の呼吸気障害や鼾の発生を予防することができ、さらに頭部に対する血行や毛髪の成長を促進して、安眠効果を高めることができると共に、健康増進に寄与することができる、取扱いの簡便な多機能携帯枕を得ることができる。また、本発明に係る多機能携帯枕によれば、長期の寝たきり病人や老人に対して使用した場合において、枕上面における頭の移動が極めて容易になることから、この移動に伴ってベッドや布団上での身体全体の寝返り運動も容易となり、床ずれ等の弊害を未然に防止することができる。さらに、本発明に係る多機能携帯枕によれば、継続的に使用することにより、頭と背骨との位置関係を適正な状態に保持することができるため、寝ている間に自然に背筋を伸ばす格好となり、苦労することなく美しい姿勢を維持することができ、身体の矯正グッズとしても有効に利用することができる等、多くの優れた利点を有する。
【００３３】
本発明の請求項２、３および１２に記載の多機能携帯枕によれば、矩形状の平板からなる多孔性硬質基板と、活性炭等のパッド充填材を通気性袋に充填して扁平筒状に形成してなる複数のパッドとの組み合わせ構成を容易化すると共に、前記複数のパッドの出し入れとその交換を容易化して、携帯性に優れた多機能携帯枕を得ることができる。
【００３４】
本発明の請求項４ないし１１および１３ないし１８に記載の多機能携帯枕によれば、比較的簡単な構成にして、取扱いが簡便であり、前述した多機能性をより有効に発揮し得る多機能携帯枕を得ることができる。
【発明を実施するための最良の形態】
【００３５】
次に、本発明に係る多機能携帯枕の実施例につき、添付図面を参照しながら以下詳細に説明する。
【実施例１】
【００３６】
図１ないし図４は、本発明に係る多機能携帯枕の一実施例を示すものである。すなわち、図１は本実施例の多機能携帯枕の外観斜視図、図２は図１のＡ−Ａ線断面図、図３は多機能携帯枕の分解斜視図、図４は図３のＢ−Ｂ線断面図である。しかるに、本実施例の多機能携帯枕１０は、枕カバー１２（図１参照）と、この枕カバー１２に出し入れ可能なパッド・基板収納体２０（図１参照）とから構成される。前記枕カバー１２は、通気性を有する布地等により矩形状（例えば、ほぼＡ４サイズ）の袋体として構成し、その短手方向の一側縁部に開閉ファスナ１４によって開閉される開口部１２ａを備えている（図１、図３参照）。また、パッド・基板収納体２０は、通気性を有する布地等で構成した矩形状の袋体からなり、この袋体の短手方向の一側縁部に多孔性硬質基板２３を挿入するための開口部２２ａを設けた基板収納部２２と、前記袋体の外側の一側面に複数のパッド２６をそれぞれ長手方向に平行に並列させて収納するための複数のポケット２５を形成したパッド収納部２４とを、備えた構成からなる（図２、図３参照）。
【００３７】
しかるに、前記パッド・基板収納体２０の基板収納部２２には、多孔性硬質基板２３を出し入れするための開口部２２ａを閉塞するための折り返し片２２ｂが設けられ、この折り返し片２２ｂの内側面と基板収納部２２の外側面に、それぞれ相互に密着係合する面ファスナ２８ａ、２８ｂが設けられる。また、前記基板収納部２２に出し入れ可能に設けられる前記多孔性硬質基板２３としては、現在市販されている図示のような合成樹脂材料等からなる多孔板を好適に使用することができる（図３参照）。
【００３８】
さらに、前記パッド・基板収納体２０のパッド収納部２４に形成した複数のポケット２５の開口部２５ａに対し、それぞれ出し入れ可能に設けられるパッド２６は、活性炭等のパッド充填材２９を織布、不織布または紙等の通気性被覆材２７ａ、２７ｂ等で形成した通気性袋に密封充填して、扁平筒状に形成した構成からなる。
【００３９】
なお、前記パッド２６にそれぞれ充填されるパッド充填材２９としては、活性炭を１／３〜１／２の容量とし、蕎麦殻、籾殻、桧や檜葉等の木材チップ、小豆、プラスチックの小粒体、乾燥したハーブ類等を適宜選択して２／３〜１／２の容量で混合したものを使用することができる。
【実施例２】
【００４０】
図５は、本発明に係る多機能携帯枕の別の実施例を示すものである。本実施例の多機能携帯枕は、前記実施例１のパッド・基板収納体２０の変形例である。すなわち、本実施例のパッド・基板収納体２０は、前記実施例１と同様に通気性を有する布地等で構成した矩形状の袋体からなり、この袋体の短手方向の一側縁部に多孔性硬質基板２３（図３参照）を挿入するための開口部に開閉ファスナ３２ａを設けた基板収納部３２と、前記袋体の外側の一側面に複数のパッド２６をそれぞれ短手方向に平行に並列させて収納するための複数のポケット３５を形成したパッド収納部３４とを、備えた構成からなる（図５参照）。
従って、このように構成したパッド・基板収納体３０は、前記実施例１と同様にして、枕カバー１２に収納することにより（図１参照）、本実施例の多機能携帯枕を得ることができる。
【実施例３】
【００４１】
図６は、本発明に係る多機能携帯枕の前記実施例１に示すパッド・基板収納体２０の変形例である。すなわち、本実施例のパッド・基板収納体２０は、通気性を有する布地等で構成した矩形状の袋体の外側の一側面に、長手方向に平行させて比較的幅広の２つのパッド２６をそれぞれ収納し得る、２つのポケット３５ａ、３５ｂを形成したパッド収納部３４を備えた構成からなる（図６参照）。
このように構成したパッド・基板収納体３０は、前記パッド収納部３４のいずれか一方のポケット３５ａにパッド２６を収納し、前記実施例１と同様にして枕カバー１２に収納する（図１参照）。このよう設定した本実施例の多機能携帯枕は、前記パッド２６の中央部に頭部を載せて有効に使用することができる。
【実施例４】
【００４２】
図７は、本発明に係る多機能携帯枕の前記実施例２に示すパッド・基板収納体２０の変形例である。すなわち、本実施例のパッド・基板収納体２０は、通気性を有する布地等で構成した矩形状の袋体の外側の一側面に、短手手方向に平行させると共に所要の間隔ｄを設けて、比較的幅広の２つのパッド２６をそれぞれ収納し得る、２つのポケット３５ａ、３５ｂを形成したパッド収納部３４を備えた構成からなる（図７参照）。
このように構成したパッド・基板収納体３０は、前記パッド収納部３４のポケット３５ａ、３５ｂにそれぞれパッド２６を収納し、前記実施例１と同様にして枕カバー１２に収納する（図１参照）。このよう設定した本実施例の多機能携帯枕は、前記２つのパッド２６の中央部（間隔ｄ部分）を中心に頭部を載せることにより、有効に使用することができる。
【実施例５】
【００４３】
図８は、本発明に係る多機能携帯枕の前記実施例３および実施例４のパッド・基板収納体２０を複合化した変形例である。すなわち、本実施例のパッド・基板収納体２０は、通気性を有する布地等で構成した矩形状の袋体の外側の一側面に、長手方向に平行させて比較的幅広の２つのパッド２６をそれぞれ収納し得る、２つのポケット３５ａ、３５ｂを形成した第１のパッド収納部３４Ａを備えた構成とし（図６および図８参照）、また前記袋体の外側の他側面に、短手手方向に平行させると共に所要の間隔ｄを設けて、比較的幅広の２つのパッド２６をそれぞれ収納し得る、２つのポケット３５ａ、３５ｂを形成した第２のパッド収納部３４Ｂを備えた構成とする（図７および図８参照）、
このように構成したパッド・基板収納体３０は、１つの多機能携帯枕によって、前述した実施例３または実施例４の多機能携帯枕としての有効な使用ができると共に、実施例３と実施例４の複合的な多機能携帯枕として、より有効に使用することができる。
【００４４】
図９は、本発明に係る多機能携帯枕において使用する多孔性硬質基板２３の変形例を示すものである。すなわち、図９に示す多孔性硬質基板２３は、複数に分割（図示例では２分割）した基板３３ａ、３３ｂを、蝶番３７等によりヒンジ結合して、折曲げ自在に構成したものである。このように、多孔性硬質基板２３を構成することにより、これを折り畳んで寸法を縮小させれば、旅行等において携帯する際に便利となる。
【実施例６】
【００４５】
図１０および図１１は、本発明に係る多機能携帯枕のさらに別の実施例を示すものである。本実施例の多機能携帯枕は、前記実施例１のパッド・基板収納体２０のさらに別の変形例である。すなわち、本実施例のパッド・基板収納体４０は、前記実施例１と同様に通気性を有する布地等で構成した矩形状の袋体からなり、この袋体の短手方向の一側縁部に多孔性硬質基板２３を挿入するための開口部４２ａを設けた基板収納部４２と、前記袋体の内側の一側面に複数のパッド２６をそれぞれ長手方向に平行に並列させて収納するための複数のポケット４５を形成したパッド収納部４４とを、備えた構成からなる。なお、前記基板収納部４２には、多孔性硬質基板２３を出し入れするための開口部４２ａを閉塞するための折り返し片４２ｂが設けられ、この折り返し片４２ｂの内側面と基板収納部４２の外側面に、それぞれ相互に密着係合する面ファスナ４８ａ、４８ｂが設けられる。
従って、このように構成したパッド・基板収納体４０は、前記実施例１と同様にして、枕カバー１２に収納することにより（図１参照）、本実施例の多機能携帯枕を得ることができる。
【００４６】
なお、本実施例６の多機能携帯枕において、前記通気性を有する布地等で構成した矩形状の袋体の内側の一側面または両側に、前記実施例３ないし実施例５に示すパッド収納部３４の構成とそれぞれ同様にして、パッド収納部４４を構成することにより、それぞれ前記各実施例と同様の多機能携帯枕として、有効に使用することができる。
【実施例７】
【００４７】
図１２および図１３は、本発明に係る多機能携帯枕の他の実施例を示すものである。本実施例の多機能携帯枕は、前述した実施例のパッド・基板収納体２０、３０、４０とは異なる変形例である。すなわち、本実施例のパッド・基板収納体５０は、通気性を有する布地等で構成した矩形状のパッド・基板収納袋体５１Ａと、パッド・基板組合せ体５１Ｂとからなり、前記パッド・基板収納袋５１Ａの一側縁部にパッド・基板組合せ体５１Ｂを挿入するための開口部５２ａを設けると共に、前記パッド・基板組合せ体５１Ｂは、多孔性硬質基板２３を織布、不織布または紙等の通気性被覆材で囲繞する基板被覆部５２と、その外側一側面に複数のパッド２６をそれぞれ収納するための複数のポケット５５を形成したパッド収納部５４とを、備える。なお、前記複数のポケット５５は、図示のように、パッド・基板組合せ体５１Ｂの短手方向に平行に並列させて設ける場合だけでなく、パッド・基板組合せ体５１Ｂの長手方向に平行に並列させて設けることも可能である。
【００４８】
また、前記パッド・基板収納袋体５１Ａには、パッド・基板組合せ体を出し入れするための開口部５２ａを閉塞するための折り返し片５２ｂが設けられ、この折り返し片５２ｂの内側面とパッド・基板収納袋体５１Ａの外側面に、それぞれ相互に密着係合する面ファスナ５８ａ、５８ｂが設けられる。代案として、前記パッド・基板収納袋体５１Ａには、前記折り返し片５２ｂを設けることに代えて、パッド・基板組合せ体を出し入れするための開口部５２ａに、図５に示すように、開閉ファスナを設けて、前記開口部を開閉自在に構成することもできる。
【００４９】
従って、このように構成したパッド・基板収納体５０は、前記各実施例と同様にして、枕カバー１２に収納することにより（図１参照）、本実施例の多機能携帯枕を得ることができる。
【００５０】
なお、本実施例７の多機能携帯枕において、前記多孔性硬質基板２３を織布、不織布または紙等の通気性被覆材で囲繞する基板被覆部５２の一側面または両側に、前記実施例３ないし実施例５に示すパッド収納部３４の構成とそれぞれ同様にして、パッド収納部５４を構成することにより、それぞれ前記各実施例と同様の多機能携帯枕として、有効に使用することができる。
【００５１】
前述した各実施例に記載される本発明の多機能携帯枕１０は、多孔性硬質基板２３を収納した側面を下にして、例えば既存の枕や座布団、あるいは敷き布団またはマットレスの上面に配置し、パッド２４を収納した側面を上にして、枕として使用することにより、通気性が良好にして、悪臭や湿気を除去し、睡眠時の呼吸気障害や鼾の発生を予防することができ、さらに頭部に対する血行や毛髪の成長を促進して、安眠効果を高めることができると共に、健康増進に寄与することができる。しかも、本発明の多機能携帯枕１０は、多孔性硬質基板およびパッド２４を、それぞれ出し入れおよび交換可能に設けられているため、携帯に便利であるばかりでなく、前記多孔性硬質基板およびパッド２４を収納保持する各構成部材についても、選択および洗浄等を簡便に行うことが可能であり、衛生管理の面においても有効である等、多くの優れた利点を有する。
【００５２】
以上、本発明の好適な実施例についてそれぞれ説明したが、本発明は前記実施例に限定されることなく、例えば多孔性硬質基板の形状を単に矩形状の平板とするだけでなく、台形や多角形等としてそれぞれ角部を湾曲形成したり、その他円形、楕円形、ハート形等も可能であり、特に頭部と肩部との関係から肩部に邪魔にならないように部分的に湾曲状の切欠きを設けたり、あるいはパッドの収納面積に比べて縮小した面積となるように基板寸法を設定したり、さらには平板面を緩やかな傾斜面ないし湾曲面とする等も可能であり、その他本発明の精神を逸脱しない範囲内において、多くの設計変更を行うことができる。
【図面の簡単な説明】
【００５３】
【図１】本発明に係る多機能携帯枕の一実施例を示す概略斜視図である。
【図２】図１に示す多機能携帯枕のＡ−Ａ線断面図である。
【図３】図１に示す多機能携帯枕の分解斜視図である。
【図４】図３に示す多機能携帯枕を構成するパッドのＢ−Ｂ線断面図である。
【図５】本発明に係る多機能携帯枕の別の実施例であって、パッド・基板収納体の変形例を示す概略斜視図である。
【図６】本発明に係る多機能携帯枕におけるパッド・基板収納体の変形例を示す概略斜視図である。
【図７】本発明に係る多機能携帯枕におけるパッド・基板収納体の別の変形例を示す概略斜視図である。
【図８】本発明に係る多機能携帯枕におけるパッド・基板収納体のさらに別の変形例を示す概略斜視図である。
【図９】本発明に係る多機能携帯枕におけるパッド・基板収納体を構成する多孔性硬質基板の変形例を示す概略斜視図である。
【図１０】本発明に係る多機能携帯枕のさらに別の実施例であって、パッド・基板収納体の別の構成例を示す概略斜視図である。
【図１１】図１０に示す本発明に係る多機能携帯枕におけるパッド・基板収納体の一部を切開して示した概略斜視図である。
【図１２】本発明に係る多機能携帯枕におけるパッド・基板収納体の別の構成例を示す概略斜視図である。
【図１３】図１２に示す本発明に係る多機能携帯枕におけるパッド・基板収納体を構成するパッド基板組合せ体の分解斜視図である。
【符号の説明】
【００５４】
１０  多機能携帯枕
１２  枕カバー
１３  開閉ファスナ
２０  パッド・基板収納体
２２  基板収納部
２２ａ  開口部
２２ｂ  折り返し片
２３  多孔性硬質基板
２４  パッド収納部
２５  ポケット
２５ａ  開口部
２６  パッド
２７ａ、２７ｂ  通気性被覆材
２８ａ、２８ｂ  面ファスナ
２９  パッド充填材
３０  パッド・基板収納体
３２  基板収納部
３２ａ  開閉ファスナ
３３ａ、３３ｂ  分割基板
３４  パッド収納部
３４Ａ、３４Ｂ  パッド収納部
３５  ポケット
３５ａ、３５ｂ  ポケット
３７  蝶番
４０  パッド・基板収納体
４２  基板収納部
４２ａ  開口部
４２ｂ  折り返し片
４４  パッド収納部
４５  ポケット
４５ａ  開口部
４８ａ、４８ｂ  面ファスナ
５０  パッド・基板収納体
５１Ａ  パッド・基板収納袋体
５１Ｂ  パッド・基板組合せ体
５２  基板被覆部
５２ａ  開口部
５２ｂ  折り返し片
５４  パッド収納部材
５５  ポケット
５５ａ  開口部
５８ａ、５８ｂ  面ファスナ
【図１】
2005046608.tif 000003
【図２】
2005046608.tif 000004
【図３】
2005046608.tif 000005
【図４】
2005046608.tif 000006
【図５】
2005046608.tif 000007
【図６】
2005046608.tif 000008
【図７】
2005046608.tif 000009
【図８】
2005046608.tif 000010
【図９】
2005046608.tif 000011
【図１０】
2005046608.tif 000012
【図１１】
2005046608.tif 000013
【図１２】
2005046608.tif 000014
【図１３】
2005046608.tif 000015